(57)【特許請求の範囲】
【請求項１】
伸縮性を有し、着用者の上半身の少なくとも一部を覆うことができる衣類において、  襟ぐり、前記襟ぐりの下方に配された裾、前記襟ぐりの右側に配された右袖ぐり、および、前記襟ぐりの左側に配された左袖ぐりを有する身頃であって、前身頃を含むとともに、前記襟ぐり、前記裾、前記右袖ぐりおよび前記左袖ぐりが形成されるように前記前身頃と接続されかつ前記身頃のうち前記右袖ぐりおよび前記左袖ぐりの各々の上端から下端までに対応する上側領域において前身頃の左右方向の最小幅よりも小さい左右方向の最小幅を有する後身頃を含む、上下方向に延びる筒状の身頃と、  前記着用者の右腕に対してフィットしつつ装着され得る右袖であって、前記右袖ぐりに接続されかつ長さ方向の５０％伸長時に１００ｃＮ以上となる長さ方向の伸長力を有する右袖と、  前記着用者の左腕に対してフィットしつつ装着され得る左袖であって、前記左袖ぐりに接続されかつ長さ方向の５０％伸長時に１００ｃＮ以上となる長さ方向の伸長力を有する左袖とを備える、衣類。
【請求項２】
前記右袖は、当該右袖の長さ方向の５０％伸長時に１５０ｃＮ以上となる長さ方向の伸長力を有し、かつ、当該右袖の周方向の５０％伸長時に１５０ｃＮ以上となる周方向の伸長力を有し、  前記左袖は、当該左袖の長さ方向の５０％伸長時に１５０ｃＮ以上となる長さ方向の伸長力を有し、かつ、当該左袖の周方向の５０％伸長時に１５０ｃＮ以上となる周方向の伸長力を有する、請求項１に記載の衣類。
【請求項３】
前記右袖が、前記着用者の右腕における上腕と前腕の少なくとも一部とを覆う長袖であり、  前記左袖が、前記着用者の左腕における上腕と前腕の少なくとも一部とを覆う長袖である、請求項１または請求項２に記載の衣類。
【請求項４】
前記右袖が、前記着用者の右腕における上腕を覆う半袖であり、  前記左袖が、前記着用者の左腕における上腕を覆う半袖である、請求項１または請求項２に記載の衣類。
【請求項５】
前記後身頃が、前記上側領域において、前記右袖の長さ方向の伸長力以上の前記身頃の周方向の伸長力を有するとともに、前記左袖の長さ方向の伸長力以上の前記身頃の周方向の伸長力を有し、  前記前身頃が、前記上側領域において、前記後身頃の、前記身頃の周方向の伸長力よりも小さい前記身頃の周方向の伸長力を有する、請求項１から請求項４のいずれか一項に記載の衣類。
【請求項６】
前記上側領域における前記前身頃の左右方向の最小幅をXとし、前記上側領域における前記後身頃の左右方向の最小幅をYとした場合、Y／Xが約０．０５から約０．９の範囲内の値である、請求項５に記載の衣類。
【請求項７】
前記後身頃が、前記上側領域において、前記右袖の長さ方向の伸長力と同一の前記身頃の周方向の伸長力を有するとともに、前記左袖の長さ方向の伸長力と同一の前記身頃の周方向の伸長力を有し、  前記前身頃が、前記上側領域において、前記後身頃の、前記身頃の周方向の伸長力と同一の前記身頃の周方向の伸長力を有し、  前記右袖の長さ方向の伸長力と前記左袖の長さ方向の伸長力とが同一に設定される、請求項１から請求項４のいずれか一項に記載の衣類。
【発明の詳細な説明】
【技術分野】
【０００１】  本発明は、衣類に関する。【０００２】  着用者の上半身の少なくとも一部を覆うことができる衣類が知られている（例えば、特許文献１参照）。
【先行技術文献】
【特許文献】
【０００３】
【特許文献１】特開２０１４−１９６５８７号公報
【発明の概要】
【発明が解決しようとする課題】
【０００４】  人は、例えば、スマートフォン等の携帯機器を利用するとき、前記携帯機器の操作のために、前記携帯機器をもつ腕が当該人の正面中央側にまわるように肩が所定の姿勢とる場合に比べて当該人の前方に出てしまう姿勢をとりやすい（所謂巻き肩になりやすい）。この姿勢は、頻繁にまたは連続して長時間にわたって保持された場合、人に肩こりまたは姿勢の悪化等の問題をもたらし得る。【０００５】  なお、ここでの所定の姿勢とは、一般的に知られている正しい姿勢である。この正しい姿勢とは、具体的には例えば、平坦面に起立している人をその真横から見た場合に、その人の首のつけ根、肩、ひじ、くるぶしが略一直線上に位置するような姿勢である。【０００６】  本発明は、このような事情に鑑みてなされたものであり、着用者が、腕が正面中央側にまわるように肩が前方に出てしまう姿勢をとることを抑制できる衣服の提供を目的とする。
【課題を解決するための手段】
【０００７】  本発明は、  着用者の上半身の少なくとも一部を覆うことができる衣類において、  襟ぐり、前記襟ぐりの下方に配された裾、前記襟ぐりの右側に配された右袖ぐり、および、前記襟ぐりの左側に配された左袖ぐりを有する身頃であって、前身頃を含むとともに、前記襟ぐり、前記裾、前記右袖ぐりおよび前記左袖ぐりが形成されるように前記前身頃と接続されかつ前記身頃のうち前記右袖ぐりおよび前記左袖ぐりの各々の上端から下端までに対応する上側領域において前身頃の左右方向の最小幅よりも小さい左右方向の最小幅を有する後身頃を含む、上下方向に延びる筒状の身頃と、  前記着用者の右腕に対してフィットしつつ装着され得る右袖であって、前記右袖ぐりに接続されかつ長さ方向の５０％伸長時に１００ｃＮ以上となる長さ方向の伸長力を有する右袖と、  前記着用者の左腕に対してフィットしつつ装着され得る左袖であって、前記左袖ぐりに接続されかつ長さ方向の５０％伸長時に１００ｃＮ以上となる長さ方向の伸長力を有する左袖とを備えるものである。【０００８】  なお、前記右袖および前記左袖の各々の伸長力（１００ｃＮ）、および以下に記載された身頃（前身頃、後身頃）の伸長力、更に特許請求の範囲に記載された伸長力とは、製造に用いられる生地等の部材を、幅２．５ｃｍ、長さ（生地把持間隔）１０ｃｍの状態で、引張り速度３０ｃｍ／分で所定方向に５０％伸長させた時の伸長力の意味である。【０００９】  この構成によれば、着用者は、前記衣類を頭部から被るように着用することが可能となる。また、前記右袖が、前記右袖ぐりの前身頃側に接続されるとともに、前記前身頃側よりも広い範囲で前記右袖ぐりの後身頃側に接続されることとなる。そのため、着用者による前記衣類の着用時、前記右袖が、前記身頃に対して、着用者の前方へは比較的移動しにくくなる一方、着用者の後方へは比較的移動しやすくなる。【００１０】  前記左袖が、前記左袖ぐりの前身頃側に接続されるとともに、前記前身頃側よりも広い範囲で前記左袖ぐりの後身頃側に接続されることとなる。したがって、着用者による前記衣類の着用時、前記左袖が、前記身頃に対して、着用者の前方へは比較的移動しにくくなる一方、着用者の後方へは比較的移動しやすくなる。【００１１】  そして、前記右袖がその長さ方向の５０％伸長時に１００ｃＮ以上となる前記右袖の長さ方向の伸長力を有しかつ前記左袖がその長さ方向の５０％伸長時に１００ｃＮ以上となる前記左袖の長さ方向の伸長力を有するので、着用者による前記衣類の着用時、前記右袖と前記右袖ぐりとの接続部分が前記身頃に対して前記衣類の着用前における第１の相対位置と略同じ相対位置を保持しようとし、かつ、前記左袖と前記左袖ぐりとの接続部分が前記身頃に対して前記衣類の着用前における第２の相対位置と略同じ相対位置を保持しようとする。【００１２】  よって、前記衣類は、当該衣類を着用した着用者が、腕が正面中央側にまわるように右腕につながる右肩および左腕につながる左肩の各々が前方に出てしまう姿勢を頻繁にまたは連続して長時間にわたってとりづらくなるようにできる。結果、着用者が、前記衣類を着用する際、常に前記姿勢をとろうとすること（所謂、巻き肩になること）を抑制でき���。【００１３】  本発明の別の態様によれば、  前記右袖は、当該右袖の長さ方向の５０％伸長時に１５０ｃＮ以上となる長さ方向の伸長力を有し、かつ、当該右袖の周方向の５０％伸長時に１５０ｃＮ以上となる周方向の伸長力を有し、  前記左袖は、当該左袖の長さ方向の５０％伸長時に１５０ｃＮ以上となる長さ方向の伸長力を有し、かつ、当該左袖の周方向の５０％伸長時に１５０ｃＮ以上となる周方向の伸長力を有する。【００１４】  この構成によれば、着用者による前記衣類の着用時、前記右袖の伸長力により、前記右袖と前記右袖ぐりとの接続部分に、これを前記第１の相対位置よりも着用者の後方（着用者の背面中央側）へ移動させようとする強い力を付与することができることが新たに知見された。また、この際、前記左袖の伸長力により、前記左袖と前記左袖ぐりとの接続部分に、これを前記第２の相対位置よりも着用者の後方（着用者の背面中央側）へ移動させようとする強い力を付与することができることが新たに知見された。【００１５】  そのため、着用者の右腕ひいては右肩と左腕ひいては左肩とに、後方への高い負荷をかけることが可能となる。よって、左右の腕が正面中央側にまわるように右肩および左肩の各々が前方に出てしまう前記姿勢を、着用者にとって更にとりづらいものにできる。したがって、着用者が巻き肩になることをより効果的に抑制できる。しかも、既に巻き肩になった人に対して優れた矯正効果を得ることができる。【００１６】  本発明の更なる態様によれば、  前記右袖および前記左袖が、それぞれ、前記着用者の右腕および左腕の各々における上腕と前腕の少なくとも一部とを覆う長袖である。【００１７】  この構成によれば、着用者による前記衣類の着用時、前記右袖を着用者の右腕の上腕および前腕の少なくとも一部に応じて伸長させて、この右腕の比較的広範囲な部分に対する密着度を高めることが可能となる。また、この際、前記左袖を着用者の左腕の上腕および前腕の少なくとも一部に応じて伸長させて、この左腕の比較的広範囲な部分に対する密着度を高めることが可能となる。【００１８】  したがって、前記右袖が着用者の右肩に向かってずり上がりすぎることを防止できる。前記左袖が着用者の左肩に向かってずり上がりすぎることを防止できる。よって、前記右袖と前記右袖ぐりとの接続部分が着用者の右脇付近に食い込んだり、前記左袖と前記左袖ぐりとの接続部分が着用者の左脇付近に食い込んだりすることを阻止して、前記右袖、前記左袖またはこれら双方のずり上がりに起因する前記衣類の着用感の悪化を回避できる。【００１９】  本発明のまた別の態様によれば、  前記右袖および前記左袖が、それぞれ、前記着用者の上腕を覆う半袖である。【００２０】  本発明のまた別の態様によれば、  前記後身頃が、前記上側領域において、前記右袖の長さ方向の伸長力以上の前記身頃の周方向の伸長力を有するとともに、前記左袖の長さ方向の伸長力以上の前記身頃の周方向の伸長力を有し、  前記前身頃が、前記上側領域において、前記後身頃の、前記身頃の周方向の伸長力よりも小さい前記身頃の周方向の伸長力を有する。【００２１】  この構成によれば、前記身頃が伸長させられた場合、前記身頃をその初期形態（前記身頃の伸長前���形態）に戻そうとする復元力が、前記前身頃および前記後身頃の各々に働くこととなる。そして、前記上側領域において前記後身頃の、前記身頃の周方向の伸長力が前記前身頃の、前記身頃の周方向の伸長力よりも大きいので、前記身頃に働く復元力のうち、前記後身頃に働く復元力が、前記前身頃に働く復元力よりも大きくなる。【００２２】  前記後身頃に働く復元力は、前記右袖ぐりおよび前記左袖ぐりを着用者の背面中央側へ導く。前記衣類が着用者に着用された場合には、この衣類は着用者の身体に応じて伸長させられるので、前記後身頃に働く復元力により、着用者の右肩および左肩が、それぞれ前記右袖と前記右袖ぐりとの接続部分および前記左袖と前記左袖ぐりとの接続部分を介して着用者の背面中央側へ導かれることとなる。【００２３】  したがって、着用者による前記衣類の着用時、前記右袖により着用者の右腕が、また、前記左袖により着用者の左腕が着用者の後側に引き寄せられる状態が常に作り出されることとなる。すなわち、前記後身頃に働く復元力が、前記衣類の着用中の間は着用者の右肩および左肩をそれぞれ当該着用者の背面中央側へ引き寄せるように、着用者に対して与え続けられることとなる。【００２４】  よって、前記衣類は、より効果的に、当該衣類を着用した着用者が、腕が背面中央側にまわるように右腕につながる右肩および左腕につながる左肩の各々が前方に出てしまう姿勢を頻繁にまたは連続して長時間にわたってとりづらくなるようにできる。結果、巻き肩の抑制効果を向上させることができる。【００２５】  本発明のまた別の態様によれば、  前記前身頃の左右方向の最小幅をXとし、前記後身頃の左右方向の最小幅をYとした場合、Y／Xが約０．０５から約０．９の範囲内の値である。【００２６】  この構成によれば、巻き肩の抑制効果および巻き肩の矯正効果の向上を効果的に図ることができる。【００２７】  本発明のまた別の態様によれば、  前記後身頃が、前記上側領域において、前記右袖の長さ方向の伸長力と同一の前記身頃の周方向の伸長力を有するとともに、前記左袖の長さ方向の伸長力と同一の前記身頃の周方向の伸長力を有し、  前記前身頃が、前記上側領域において、前記後身頃の、前記身頃の周方向の伸長力と同一の前記身頃の周方向の伸長力を有し、  前記右袖の長さ方向の伸長力と前記左袖の長さ方向の伸長力とが同一に設定される。【００２８】  この構成によれば、前記前身頃の、前記身頃の周方向の伸長力と、前記後身頃の、前記身頃の周方向の伸長力と、前記右袖の長さ方向の伸長力と、前記左袖の長さ方向の伸長力とが同一となる。したがって、前記前身頃と前記後身頃と前記右袖と前記左袖とを同一の材料で製造することが可能となる。よって、衣類を一の材料で製造することが可能となり、製造コストの低減化を図ることができる。
【発明の効果】
【００２９】  本発明によれば、着用者が、腕が正面中央側にまわるように肩が前方に出てしまう姿勢をとることを抑制できる衣服を提供することができる。
【図面の簡単な説明】
【００３０】
【図１】本発明の一実施形態に係る衣類の正面図である。
【図２】図１の衣類の背面図である。
【図３】図２の一部拡大図である。
【図４】図１の衣類が着用され状態を示す模式平面図である。
【発明を実施するための形態】
【００３１】  本発明の実施形態について図面を参照しつつ説明する。
【００３２】  図１に、本発明の一実施形態に係る衣類１の正面図を示す。図２に、衣類１の背面図を示す。図３に、図２の一部拡大図を示す。なお、図１および図２においては、平らに広げられた通常状態にある衣類１を示す。また、図３においては、説明の便宜上、後述の右袖３および左袖４を省略している。
【００３３】  図１、図２および図３に示すように、衣類１は、伸縮性を有するものであって、当該衣類１を着用した着用者の上半身の少なくとも一部を覆うことができる衣類である。衣類１は、肌着として着用され得るもの、または、肌着の上に着用される中衣もしくは上着として着用され得るものである。本実態形態において、衣類１は、着用者の上半身の略全体を覆うことができるシャツである。
【００３４】  衣類１は、身頃２と、右袖３と、左袖４とを備えている。身頃２は、襟ぐり６、裾７、右袖ぐり８および左袖ぐり９を有している。身頃２において、裾７は、身頃２の上下方向（高さ方向）に関して襟ぐり６の下方に配されている。右袖ぐり８は、身頃２の左右方向（幅方向）に関して襟ぐり６の右側に配されている。左袖ぐり９は、身頃２の左右方向に関して襟ぐり６の左側に配されている。
【００３５】  また、身頃２は、上下方向に延びる筒状であり、前身頃１１と、後身頃１２とを含んでいる。後身頃１２は、襟ぐり６、裾７、右袖ぐり８および左袖ぐり９が形成されるように、前身頃１１と接続されている。後身頃１２は、身頃２のうち右袖ぐり８および左袖ぐり９の各々の上端から下端までに対応する上側領域１３において、前身頃の左右方向の最小幅Ｘよりも小さい左右方向の最小幅Ｙを有している。
【００３６】  本実施形態において、身頃２は、伸縮性を有している。身頃２は、衣類１の上下方向を軸方向とする筒状体である。前身頃１１は、衣類１を着用した着用者の身体（上半身）の正面に対応する部分であり、着用者の上半身の概ね正面全部を覆うことができるように構成されている。後身頃１２は、衣類１を着用した着用者の身体（上半身）の背面に対応する部分であり、着用者の上半身の概ね背面全部を覆うことができるように構成されている。
【００３７】  詳しくは、前身頃１１と後身頃１２とは、襟ぐり６、裾７、右袖ぐり８および左袖ぐり９となる各開口部分が形成され得るように、かつ、前後方向に並ぶように筒状を呈し得るように縫合されている。これにより、身頃２は、襟ぐり６および裾７の各々を開口部として有する筒形状を呈し、着用者の上半身の概ね全部を覆うことができるようになっている。身頃２は、本実施形態においては略左右対称な形状を有している。
【００３８】  また、本実施形態において、身頃２は異なる性質を有する複数の生地を用いて製造されている。具体的には、前身頃１１は、第１の生地を用いて製造されている。後身頃１２は、第２の生地を用いて製造されている。第１の生地および第２の生地は、身頃２が着用者の身体（上半身）に応じて伸長できるように、伸縮性を有している。第２の生地は、生地を伸長させるために必要な力である伸長力として、本実施形態においては第１の生地よりも大きい伸長力を有している。詳しくは、第２の生地は、上側領域１３において、後身頃１２の、身頃２の周方向の伸長力を前身頃１１の、身頃２の周方向の伸長力よりも大きくするものとされている。
【００３９】  身頃２は、衣類１が着用者により着用される場合、着用者の上半身にフィットするように、初期形態（衣類１が通常状態にあるときの形態）に比べて着用者の上半身に応じて伸長しつつ着用者の上半身を覆うものとなる。したがって、本実施形態においては、着用者による衣類１の着用時には、身頃２に対して、前身頃１１および後身頃１２の各々を初期形態に戻そうとする復元力が働くようになっている。
【００４０】  本実施形態における復元力は、前記第１の生地（前身頃１１）の伸長力に応じて前身頃１１を上側領域１３において初期形態に戻そうとする第１の復元力と、前記第２の生地（後身頃１２）の伸長力に応じて後身頃１２を上側領域１３において初期形態に戻そうとする第２の復元力とを含む。そして、第２の復元力が第１の復元力よりも大きくなるように設定されている。換言すれば、後身頃１２が前身頃１１よりも初期形態に戻りやすくされている。
【００４１】  図３に示すように、右袖ぐり８は、右側正面縁部２１と、右側背面縁部２２とを有している。右側正面縁部２１は、前身頃１１の右側上部（上側領域１３の右端部）に配置され、身頃２の概ね上下方向に延在するように設けられている。右側背面縁部２２は、後身頃１２の右側上部（上側領域１３の右端部）に配置され、身頃２の概ね上下方向に延在するように設けられている。
【００４２】  右側正面縁部２１の上端部と右側背面縁部２２の上端部とは、前身頃１１と後身頃１２との縫合により接続されている。右側正面縁部２１の下端部と右側背面縁部２２の下端部とは、前身頃１１と後身頃１２との縫合により接続されている。こうして、身頃２において、衣類１の着脱に際して着用者の右腕を通過させるための右側開口部が形成されている。
【００４３】  右側正面縁部２１は、前身頃１１の右側から左側（襟ぐり６側）に凹むように湾曲した形状を有している。右側正面縁部２１には、最も左側に位置する右側前頂部２３が設けられている。右側背面縁部２２は、後身頃１２の右側から左側（襟ぐり６側）に凹むように湾曲した形状を有している。右側背面縁部２２には、最も左側に位置する右側後頂部２４が設けられている。
【００４４】  そして、右側背面縁部２２は、右側後頂部２４が右側正面縁部２１の右側前頂部２３よりも左側（衣類１の幅方向の内側）に位置するように、右側正面縁部２１よりも襟ぐり６側に全体的に大きく凹んだ状態で湾曲した状態に形成されている。具体的には、右側正面縁部２１の下端部は、右側正面縁部２１の上端部よりも右側（衣類１の幅方向の外側）に配置されている。
【００４５】  右側背面縁部２２の右側後頂部２４が襟ぐり６の下方付近に配置されている。また、右側背面縁部２２が、右側正面縁部２１よりも大きく湾曲するように形成されている。右側背面縁部２２が、上下方向に関して、右側後頂部２４が後身頃１２の下方寄りに位置するよう形成されている。こうして、右袖ぐり８が、上側に比べて下側のほうが広い開口面積を有するように構成されている。
【００４６】  左袖ぐり９は、左側正面縁部２６と、左側背面縁部２７とを有している。左側正面縁部２６は、前身頃１１の左側上部（上側領域１３の左端部）に配置され、身頃２の概ね上下方向に延在するように設けられている。左側背面縁部２７は、後身頃１２の左側上部（上側領域１３の左端部）に配置され、身頃２の概ね上下方向に延在するように設けられている。
【００４７】  左側正面縁部２６の上端部と左側背面縁部２７の上端部とは、前身頃１１と後身頃１２との縫合により接続されている。左側正面縁部２６の下端部と左側背面縁部２７の下端部とは、前身頃１１と後身頃１２との縫合により接続されている。こうして、身頃２において、衣類１の着脱に際して着用者の左腕を通過させるための左側開口部が形成されている。
【００４８】  左側正面縁部２６は、前身頃１１の左側から右側（襟ぐり６側）に凹むように湾曲した形状を有している。左側正面縁部２６には、最も右側に位置する左側前頂部２８が設けられている。左側背面縁部２７は、後身頃１２の左側から右側（襟ぐり６側）に凹むように湾曲した形状を有している。左側背面縁部２７には、最も右側に位置する左側後頂部２９が設けられている。
【００４９】  そして、左側背面縁部２７は、左側後頂部２９が左側正面縁部２６の左側前頂部２８よりも右側（衣類１の幅方向の内側）に位置するように、左側正面縁部２６よりも襟ぐり６側に全体的に大きく凹んだ状態で湾曲した状態に形成されている。具体的には、左側正面縁部２６の下端部は、左側正面縁部２６の上端部よりも左側（衣類１の幅方向の外側）に配置されている。
【００５０】  左側背面縁部２７の左側後頂部２９が襟ぐり６の下方付近に配置されている。左側背面縁部２７が、左側正面縁部２６よりも大きく湾曲するように形成されている。左側背面縁部２７が、上下方向に関して、左側後頂部２９が後身頃１２の下方寄りに位置するよう形成されている。こうして、左袖ぐり９が、上側に比べて下側方のほうが広い開口面積を有するように構成されている。
【００５１】  本実施形態において、上側領域１３は、上端の上下位置が右袖ぐり８および左袖ぐり９の各々の上端と略同じ上下位置となり、かつ、下端の上下位置が右袖ぐり８および左袖ぐり９の各々の下端と略同じ上下位置となるように規定されている。なお、これらの上端の上下位置およびこれらの下端の上下位置は、完全に一致する必要はなく、多少のずれは許容され得る。
【００５２】  図１、図２および図３に示すように、右袖３は、着用者の右腕に対してフィットしつつ装着され得るものである。右袖３は、身頃２から延びるように右袖ぐり８に接続されている。右袖３は、右袖３の長さ方向（筒状の右袖３の軸方向、具体的には図１における矢印３３方向）の５０％伸長時に１００ｃＮ（センチニュートン）以上６００ｃＮ以下となる長さ方向の伸長力を有している。
【００５３】  左袖４は、着用者の左腕に対してフィットしつつ装着され得るものである。左袖４は、身頃２から延びるように身頃２の左袖ぐり９に接続されている。左袖４は、左袖４の長さ方向（筒状の左袖４の軸方向、具体的には図１における矢印３５方向）の５０％伸長時に１００ｃＮ（センチニュートン）以上６００ｃＮ以下となる長さ方向の伸長力を有している。本実施形態において、右袖３と左袖４とは略左右対称な形状を有している。
【００５４】  本実施形態において、右袖３は、伸縮性を有するとともに、身頃２に連通するように接続された筒状体である。右袖３は、右袖３が身頃２から外部へ延びる方向（右袖３の長さ方向）に関し、右袖ぐり８と右袖３の袖口との間の領域において、少なくとも衣類１を着用した着用者の右腕の長さの半分程度となる長さを有している。右袖３は、着用者の右腕に直接または間接的に全体的に接触する（フィットする）ように伸長しつつ、着用者の右腕を包み得るように構成されている。
【００５５】  右袖３は、第３の生地を用いて製造されている。第３の生地は、右袖３が着用者の右腕に応じて主に右腕の周方向に伸長できるように、伸縮性を有している。第３の生地は、生地を伸長させるために必要な力である伸長力として、本実施形態においては前身頃１１（少なくとも上側領域１３に対応する部分）製造用の第１の生地の伸長力よりも大きくかつ第２の生地の伸長力以上の伸長力を有している。詳しくは、第３の生地は、右袖３の長さ方向の伸長力を少なくとも前身頃１１の、上側領域１３における身頃２の周方向の伸長力よりも大きくするものとされている。
【００５６】  本実施形態において、左袖４は、伸縮性を有するとともに、身頃２に連通するように接続された筒状体である。左袖４は、当該左袖４が身頃２から外部へ延びる方向（左袖４の長さ方向）に関し、左袖ぐり９と左袖４の袖口との間の領域において、少なくとも衣類１を着用した着用者の左腕の長さの半分程度となる長さを有している。左袖４は、着用者の左腕に直接または間接的に全体的に接触する（フィットする）ように伸長しつつ、着用者の左腕を包み得るように構成されている。
【００５７】  左袖４は、第４の生地を用いて製造されている。第４の生地は、左袖４が着用者の左腕に応じて主に左腕の周方向に伸長できるように、伸縮性を有している。第４の生地は、生地を伸長させるために必要な力である伸長力として、本実施形態においては前身頃１１（少なくとも上側領域１３に対応する部分）製造用の第１の生地の伸長力よりも大きくかつ第２の生地の伸長力以上の伸長力を有している。詳しくは、第４の生地は、左袖４の長さ方向の伸長力を少なくとも前身頃１１の、上側領域１３における身頃２の周方向の伸長力よりも大きくするものとされている。
【００５８】  ここでの伸長力とは、右袖３および左袖４、更には前述の身頃２（前身頃１１、後身頃１２）に関して、製造に用いられる部材（対応する生地）を、定速伸長形引張試験機により、約２０℃（１８℃〜２２℃）の環境下において、幅２．５ｃｍ、長さ（生地把持間隔）１０ｃｍの状態で、引張り速度３０ｃｍ／分で所定方向に５０％伸長させた時の伸長長力である。本件では定速伸長形引張試験機として島津製作所製ＡＧＳ−Ｘを採用し、これを用いて測定した伸長力を記載している。右袖３および左袖４の各々の長さ方向の伸長力は、長さ方向の５０％伸長時に１００ｃＮ以上６００ｃＮ以下となるものであればよいが、好ましくは長さ方向の５０％伸長時に１５０ｃＮ以上６００ｃＮ以下、より好ましくは長さ方向の５０％伸長時に２００ｃＮ以上６００ｃＮ以下となるものである。
【００５９】  なお、左袖４を製造するための第４の生地は、本実施形態においては右袖３を製造するための第３の生地とだけ同質のものとしているが、これに限定されない。たとえば、第４の生地は、第３の生地に加え、後身頃１２を製造するための第２の生地と同質のものとしてもよい。第３の生地の性質にかかわらず、第４の生地は第２の生地と同質のものとしてもよい。
【００６０】  以上のような構成により、着用者は、衣類１を頭部から被るように着用することが可能となる。すなわち、着用者は、頭部を衣類１の裾７から襟ぐり６まで通しつつ、当該着用者の右腕を右袖ぐり８を介して右袖３まで通しかつ当該着用者の左腕を左袖ぐり９を介して左袖４まで通すことによって、衣類１により上半身の略全部を覆うことが可能となる。
【００６１】  また、右袖３が、右袖ぐり８の前身頃１１側（右側正面縁部２１）に接続されるとともに、前身頃１１側よりも広い範囲で右袖ぐり８の後身頃１２側（右側背面縁部２２）に接続されることとなる。そのため、着用者による衣類１の着用時、右袖３が、身頃２に対して、着用者の前方へは比較的移動しにくくなる一方、着用者の後方へは比較的移動しやすくなる。
【００６２】  左袖４が、左袖ぐり９の前身頃１１側（左側正面縁部２６）に接続されるとともに、前身頃１１側よりも広い範囲で左袖ぐり９の後身頃１２側（左側背面縁部２７）に接続されることとなる。そのため、着用者による衣類１の着用時、左袖４が、身頃２に対して、着用者の前方へは比較的移動しにくくなる一方、着用者の後方へは比較的移動しやすくなる。
【００６３】  そして、右袖３がその長さ方向の５０％伸長時に１００ｃＮ以上となる右袖３の長さ方向の伸長力を有しかつ左袖４がその長さ方向の５０％伸長時に１００ｃＮ以上となる左袖４の長さ方向の伸長力を有する。したがって、着用者による衣類１の着用時、右袖３と右袖ぐり８との接続部分が身頃２に対して衣類１の着用前における第１の相対位置と略同じ相対位置を保持しようとし、かつ、左袖４と左袖ぐり９との接続部分が身頃２に対して衣類１の着用前における第２の相対位置と略同じ相対位置を保持しようとする。
【００６４】  よって、衣類１は、当該衣類１を着用した着用者５１が、図４に示すような、腕が正面中央側にまわるように右腕につながる右肩および左腕につながる左肩の各々が前方に出てしまう姿勢６０を頻繁にまたは連続して長時間にわたってとりづらくなるようにできる。結果、着用者が、衣類１を着用する際、常に姿勢６０をとろうとすること（所謂、巻き肩になること）を抑制できる。さらに、既に巻き肩になった人に衣類１を着用させた場合には、その巻き肩を矯正することも可能となる。
【００６５】  また、本実施形態において、右袖３は、右袖３の長さ方向（図１における矢印３３方向）の５０％伸長時に１５０ｃＮ以上となる長さ方向の伸長力を有し、かつ、右袖３の周方向（図１における矢印３４方向）の５０％伸長時に１５０ｃＮ以上となる周方向の伸長力を有している。また、左袖４は、左袖４の長さ方向（図１における矢印３５方向）の５０％伸長時に１５０ｃＮ以上となる長さ方向の伸長力を有し、かつ、左袖４の周方向（図１における矢印３６方向）の５０％伸長時に１５０ｃＮ以上となる周方向の伸長力を有している。
【００６６】  このような構成により、着用者による衣類１の着用時、右袖３の伸長力により、右袖３と右袖ぐり８との接続部分に、これを前記第１の相対位置よりも着用者の後方（着用者の背面中央側）へ移動させようとする強い力を付与することが可能となる。また、この際、左袖４の伸長力により、左袖４と左袖ぐり９との接続部分に、これを前記第２の相対位置よりも着用者の後方（着用者の背面中央側）へ移動させようとする強い力を付与することが可能となる。
【００６７】  すなわち、着用者の右腕ひいては右肩と左腕ひいては左肩とに、後方への高い負荷をかけることが可能となる。よって、腕が正面中央側にまわるように右腕につながる右肩および左腕につながる左肩の各々が前方に出てしまう姿勢６０を、着用者にとって更にとりづらいものにできる。したがって、着用者が巻き肩になることをより効果的に抑制できる。しかも、既に巻き肩になった人に対して優れた矯正効果を得ることができる。
【００６８】  なお、右袖３の周方向の伸長力は、好ましくは右袖３の周方向の５０％伸長時に１５０ｃＮ以上６００ｃＮ以下、より好ましくは右袖３の周方向の５０％伸長時に２００ｃＮ以上６００ｃＮ以下となるものである。左袖４の周方向の伸長力は、好ましくは左袖４の周方向の５０％伸長時に１５０ｃＮ以上６００ｃＮ以下、より好ましくは左袖４の周方向の５０％伸長時に２００ｃＮ以上６００ｃＮ以下となるものである。
【００６９】  また、本実施形態において、右袖３は、衣類１の着用者の右腕における上腕と前腕の少なくとも一部とを覆う長袖である。左袖４は、衣類１の着用者の左腕における上腕と前腕の少なくとも一部とを覆う長袖である。ここでの長袖とは、着用者の上腕と前腕の略全部を覆う本実施形態のような袖に加えて、着用者の上腕と前腕の一部とを覆う袖、例えば七分袖を含む。
【００７０】  このような構成により、着用者による衣類１の着用時、右袖３を着用者の右腕の上腕および前腕の少なくとも一部に応じて伸長させて、この右腕の比較的広範囲な部分に対する密着度を高めることとなる。また、この際、左袖４を着用者の左腕の上腕および前腕の少なくとも一部に応じて伸長させて、この左腕の比較的広範囲な部分に対する密着度を高めることとなる。
【００７１】  したがって、右袖３が着用者の右肩に向かってずり上がりすぎることを防止できる。左袖４が着用者の左肩に向かってずり上がりすぎることを防止できる。よって、右袖３と右袖ぐり８との接続部分が着用者の右脇付近に食い込んだり、左袖４と左袖ぐり９との接続部分が着用者の左脇付近に食い込んだりすることを阻止して、右袖３、左袖４またはこれら双方のずり上がりに起因する衣類１の着用感の悪化を回避できる。
【００７２】  なお、本発明に係る衣類は、本発明に係る衣類は、本実施形態においては長袖である右袖３と長袖である左袖４とを備える衣類１としているが、これに限定するものではなく、着用者の右腕における上腕を覆う半袖である右袖と着用者の左腕における上腕を覆う半袖である左袖とを備える衣類であってもよい。
【００７３】  また、本実施形態においては、後身頃１２が、上側領域１３において、右袖３の長さ方向の伸長力以上の身頃２の周方向の伸長力を有するとともに、左袖４の長さ方向の伸長力以上の身頃２の周方向の伸長力を有している。しかも、前身頃１１が、上側領域１３において、後身頃１２の、身頃２の周方向の伸長力よりも小さい身頃２の周方向の伸長力を有している。
【００７４】  これにより、身頃２が伸長させられた場合、身頃２をその初期形態（身頃２の伸長前の形態）に戻そうとする前述の復元力が、前身頃１１および後身頃１２の各々に働くこととなる。そして、上側領域１３において、後身頃１２の、身頃２の周方向の伸長力が、前身頃１１の、身頃２の周方向の伸長力よりも大きいので、図４に示すような後身頃１２に働く前記第２の復元力５５・５６が、前身頃１１に働く前記第１の復元力よりも大きくなる。
【００７５】  この第２の復元力５５・５６は、右袖ぐり８および左袖ぐり９を着用者の背面中央側へ導く。図４に示すように、衣類１が着用者５１に着用された場合には、身頃２は着用者５１の身体に応じて伸長させられるので、第２の復元力５５・５６により、着用者５１の右肩および左肩が、それぞれ右袖３と右袖ぐり８との接続部分および左袖４と左袖ぐり９との接続部分を介して着用者５１の背面中央側へ導かれることとなる。
【００７６】  したがって、着用者による衣類１の着用時、右袖３により着用者の右腕が、また、左袖４により着用者の左腕が着用者の後側に引き寄せられる状態が常に作り出されることとなる。すなわち、後身頃１２に働く第２の復元力５５・５６が、衣類１の着用中、着用者の右肩および左肩をそれぞれ当該着用者の背面中央側へ引き寄せるように、着用者に対して与え続けられることとなる。
【００７７】  よって、衣類１は、より効果的に、当該衣類１を着用した着用者が、腕が背面中央側にまわるように右腕につながる右肩および左腕につながる左肩の各々が前方に出てしまう姿勢６０を頻繁にまたは連続して長時間にわたってとりづらくなるようにできる。結果、巻き肩の抑制効果、更には巻き肩の矯正効果を向上させることもできる。
【００７８】  なお、後身頃１２の伸長力は、本実施形態においては、後身頃１２を製造するための第２の生地の性質のみに由来するものとしているが、後身頃１２を別の第２の生地とゴム等の弾性体とを用いて製造されたものとしたうえで、実質的に前記弾性体の性質のみに由来するものとしてもよいし、前記別の第２の生地の性質と前記弾性体の性質との両者に由来するものとしてもよい。
【００７９】  なお、前身頃１１（前身頃１１製造用の第１の生地）は、本実施形態においては前身頃１１の上側領域１３に対して所定量の第１の復元力を働かし得るものとしているが、これに限定されない。たとえば、前身頃１１（前身頃１１製造用の第１の生地）は、第１の生地は衣類１の着脱容易性を大きく損なうものでなければ、前身頃１１の上側領域１３に対して第１の復元力を殆ど働かすことができないものとしてもよい。
【００８０】  また、本実施形態においては、前身頃１１の左右方向の最小幅Ｘと、後身頃１２の左右方向の最小幅Ｙに関して、Ｙ／Ｘが約０．０５から約０．９の範囲内の値となる。よって、巻き肩の抑制効果および巻き肩の矯正効果の向上を効果的に図ることができる。なお、Ｙ／Ｘの値については、Ｙ／Ｘを約０．１から約０．９の範囲内の値とすることが好ましく、約０．２から約０．８の範囲内の値とすることが更に好ましい。
【００８１】  また、本実施形態においては、前身頃１１の、上側領域１３における身頃２の周方向の伸長力、右袖３および左袖４の各々の長さ方向の伸長力、および、後身頃１２の、上側領域１３における身頃２の周方向の伸長力は、この記載順に大きくなるように構成しているが、これらのうち右袖３および左袖４の各々の長さ方向の伸長力が５０％伸長時に１００ｃＮ以上となるのであれば、例えば、すべてが同一となるように構成してもよい。
【００８２】  すなわち、後身頃１２が、上側領域１３において、右袖３の長さ方向の伸長力と同一の身頃２の周方向の伸長力を有するとともに、左袖４の長さ方向の伸長力と同一の身頃２の周方向の伸長力を有し、かつ、前身頃１１が、上側領域１３において、後身頃１２の、身頃２の周方向の伸長力と同一の身頃２の周方向の伸長力を有するものとし、更に、右袖３の長さ方向の伸長力と左袖４の長さ方向の伸長力とを同一に設定してもよい。
【００８３】  この構成によれば、前身頃１１の、身頃２の周方向の伸長力と、後身頃の、前記身頃の周方向の伸長力と、前記右袖の長さ方向の伸長力と、前記左袖の長さ方向の伸長力とが同一となるので、前身頃１１と後身頃１２と右袖３と左袖４とを同一の材料で製造することが可能となる。よって、衣類を一の材料で製造することが可能となり、製造コストの低減化を図ることができる。
【００８４】  なお、上述の教示を考慮すれば、本発明が多くの変更形態および変形形態をとり得ることは明らかである。したがって、本発明が、添付の特許請求の範囲内において、本明細書に記載された以外の方法で実施され得ることを理解されたい。
【符号の説明】
【００８５】  １    衣類  ２    身頃  ３    右袖  ４    左袖  ６    襟ぐり  ７    裾  ８    右袖ぐり  ９    左袖ぐり  １１  前身頃  １２  後身頃  １３  身頃の上側領域
【図１】
0006516315.tif 000002
【図２】
0006516315.tif 000003
【図３】
0006516315.tif 000004
【図４】
0006516315.tif 000005